(57)【特許請求の範囲】
【請求項１】
複数の利用者がそれぞれ用いる記入用紙と、
複数の利用者が各自の記入用紙に記入するのに用いられ、少なくとも記入した位置座標に関する情報を送信する複数の電子ペンと、
各電子ペンから送信される情報を受信して処理した画像を各利用者に観察可能に表示するコンピュータと
を備える表示システムであって、
前記コンピュータは、
各電子ペンから情報を受信する受信手段と、
選択ユーザ表示ボタンと比較一覧表示ボタンとを表示手段に表示させ、前記選択ユーザ表示ボタンが指示された場合には、選択指示された利用者の記入内容を前記表示手段に表示させ、前記比較一覧表示ボタンが指示された場合には、複数の利用者の記入内容を、各利用者により記入された記入用紙に対応させて各記入用紙を並べるように前記表示手段に表示させる処理手段とを備える
ことを特徴とする表示システム。
【請求項２】
前記処理手段は、各電子ペンにより送信されるペンＩＤにより、記入している利用者を識別していることを特徴とする請求項１に記載の表示システム。
【請求項３】
請求項１又は２に記載のコンピュータが接続されたプロジェクタにより、前記表示手段に表示された内容をスクリーンに表示することを特徴とする表示システム。
【請求項４】
各記入用紙は、各受講者が記入する解答用紙であり、
前記コンピュータは、各受講者が解答用紙に電子ペンで記入する会場に設置されており、
各受講者にとって前記表示手段又は前記スクリーンの表示が観察可能であることを特徴とする請求項１〜３のうちいずれか一項に記載の表示システム。
【請求項５】
請求項１〜４のうちいずれか一項に記載のコンピュータとして機能させることを特徴とするプログラム。
【発明の詳細な説明】
【技術分野】
【０００１】
本発明は、ペン先部の用紙上の位置座標を演算する電子ペンを用いた電子ペン・システムであって、記入者設定用紙への記入によって、記入用紙に記入する記入者を端末装置に認識させることができるシステムおよびそのプログラムに関する。
【０００２】
従来、記入した情報を電子化する電子ペンが開発されており、その代表的なものとしてスウェーデンのアノト社が開発した「アノトペン」が知られている。アノトペンは、所定のドットパターンが印刷された専用紙（以下、「専用ペーパー」とも呼ぶ。）とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。利用者が専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、利用者が書き込んだ文字、画像などの記入情報が認識される。そして、この記入情報が、データ通信ユニットによりアノトペンから近くのパーソナルコンピュータや携帯電話などの端末装置へ送信される（例えば、特許文献１参照）。
【０００３】
本出願人は、このような電子ペンを用いて、模擬試験などの採点した結果を効率よく集計する学習採点システムなどを提案している（特許文献２）。また、複数の受講者に対して共有する学習データを記憶装置に記憶し、受講者の端末からのアクセスをカウントしつつ学習データを提供するシステムも提案されている（特許文献３）。また、受講者が電子ペンによって問題用紙に解答を記入し、各電子ペンで記入された記載内容を同一の問題用紙ごとにまとめてファイルを作成し、記憶するシステム等も提案されている（特許文献４）。
【０００４】
また、結婚式や送別会などのイベント用に、寄せ書きをタブレットコンピュータで行うことが提案されている（特許文献５）。この特許文献５には、取り込まれた入力メッセージデータに対し、記入完了ボタンの選択か、一定時間以上のペンがタブレットから離れていたことを、記入の区切りと判断して、記入内容の区切りごとに個別のＩＤを付与し、複数のメッセージを別の人が書いたメッセージとして識別する装置が記載されている。また、複数の電子ペンからの記入情報を、その記入情報に含まれる電子ペン固有のペンＩＤによって識別する情報処理装置も提案されている（特許文献６）。この特許文献６には、電子ペンで記入された記入内容を表示画面に表示する際、ペンＩＤによって記入情報を識別して異なる色で表示することも記載されている。
【０００５】
【特許文献１】特表２００３−５１１７６１号公報
【特許文献２】特開２００４−２０６２９５号公報
【特許文献３】特開２００２−３２３８４７号公報
【特許文献４】特開２００６−２４４０５５号公報
【特許文献５】特開２００６−１２７０１３号公報
【特許文献６】特開２００３−３０８１６９号公報
【発明の開示】
【発明が解決しようとする課題】
【０００６】
しかしながら、従来の装置では、各利用者が記入した内容を並べて表示し、互いに観察できるようなものは存在しなかった。そこで、本発明は、各利用者が記入した内容を並べて表示し、互いに観察できる表示システムおよびそのプログラムを提供することを目的とする。
【課題を解決するための手段】
【００１０】
本発明に係る表示システムは、
複数の利用者がそれぞれ用いる記入用紙と、
複数の利用者が各自の記入用紙に記入するのに用いられ、少なくとも記入した位置座標に関する情報を送信する複数の電子ペンと、
各電子ペンから送信される情報を受信して処理した画像を各利用者に観察可能に表示するコンピュータと
を備える表示システムであって、
前記コンピュータは、
各電子ペンから情報を受信する受信手段と、
選択ユーザ表示ボタンと比較一覧表示ボタンとを表示手段に表示させ、前記選択ユーザ表示ボタンが指示された場合には、選択指示された利用者の記入内容を前記表示手段に表示させ、前記比較一覧表示ボタンが指示された場合には、複数の利用者の記入内容を、各利用者により記入された記入用紙に対応させて各記入用紙を並べるように前記表示手段に表示させる処理手段とを備えることを特徴とする。
【００１１】
この構成によれば、各利用者が各自の記入用紙に電子ペンで記入すると、各電子ペンは、少なくとも記入した位置座標に関する情報を送信し、コンピュータは、受信手段によって、各電子ペンから送信される情報を受信する。そして、コンピュータの処理手段は、選択ユーザ表示ボタンと比較一覧表示ボタンとを表示手段に表示させ、選択ユーザ表示ボタンが指示された場合には、選択指示された利用者の記入内容を表示手段に表示させ、比較一覧表示ボタンが指示された場合には、複数の利用者の記入内容を、各利用者により記入された記入用紙に対応させて各記入用紙を並べるように表示手段に表示させる。
【００１２】
上記表示システムにおいて、上記処理手段は、各電子ペンにより送信されるペンＩＤにより、記入している利用者を識別するよう構成するとよい。
【００１３】
さらには、上記表示システムにおいては、コンピュータが接続されたプロジェクタにより、表示手段に表示された内容をスクリーンに表示するよう構成するとよい。
【００１４】
また、上記表示システムにおいては、
各記入用紙は、各受講者が記入する解答用紙であり、
前記コンピュータは、各受講者が解答用紙に電子ペンで記入する会場に設置されており、
各受講者にとって前記表示手段又は前記スクリーンの表示が観察可能であるよう構成するとよい。
【００１５】
また、本発明に係るプログラムは、上記コンピュータとして機能させることを特徴とする。このプログラムをコンピュータにインストールすることにより、上記コンピュータを実現することができる。
【発明の効果】
【００１６】
本発明によれば、各利用者が記入した内容を並べて表示し、互いに観察することができる。
【図面の簡単な説明】
【００１７】
【図１】本発明に係る電子ペン・システムの一実施形態のシステム構成図である。
【図２】本実施形態のシステムで利用される解答用紙を示す図である。
【図３】本実施形態のシステムで利用される名簿用紙を示す図である。
【図４】本実施形態のシステムで利用されるカラーパレット用紙を示す図である。
【図５】各用紙に印刷されるドットパターンによる情報の表現方法の説明図である。
【図６】（ａ）はドットパターンを模式的に示し、（ｂ）はそれに対応する情報の例を示す説明図である。
【図７】本実施形態のシステムで利用される電子ペンの構成を示すブロック図である。
【図８】集約装置の機能ブロック図を含む本システムのシステム構成図である。
【図９】集約装置に記憶された、用紙におけるユーザエリアと用紙種別、位置座標の範囲を関係付けた、ユーザエリア定義情報の一例を示す図である。
【図１０】（ａ）は、集約装置に記憶された名簿用紙におけるユーザエリアと名簿No. をユーザＩＤ、ユーザ名を関係付けた、名簿定義情報の一例を示す図、（ｂ）は、集約装置に記憶された、カラーパレット用紙におけるユーザエリアと線種ＩＤ、線種を関係付けた、カラーパレット定義情報の一例を示す図である。
【図１１】（ａ）は、集約装置に記憶させる、ペン設定情報の一例を示す図、（ｂ）は、同じ電子ペンを複数の解答者が利用する場合のペン設定情報の一例を示す図、（ｃ）は、異なる電子ペンを同じ解答者が利用する場合のペン設定情報の一例を示す図である。
【図１２】集約装置に記憶させる学習データのファイルの構造図である。
【図１３】記入情報への記入者ＩＤの設定を示すフローである。
【図１４】予め名簿用紙によってユーザＩＤを指定して解答用紙に記入する場合の説明図である。
【図１５】図１４の使用態様に続いて、別の解答者が同じ電子ペンで名簿用紙によってユーザＩＤを指定して解答用紙に記入する場合の説明図である。
【図１６】先行して解答用紙に解答が記入してしまい、後で名簿用紙によってユーザＩＤを指定して続けて解答用紙に記入する場合の説明図である。
【図１７】本集約装置におけるグループ化機能の説明図である。
【図１８】集約装置における描画アプリケーションによる表示画面例である。
【図１９】図１８に示す表示画面例のユーザコントロールリストである。
【図２０】集約装置における描画アプリケーションによる機能メニューの説明図であり、（Ａ）はファイルメニューのプルダウンメニュー、（Ｂ）は表示メニューのプルダウンメニュー、（Ｃ）はツールメニューのプルダウンメニューを示す。
【図２１】集約装置における描画アプリケーションによる表示画面例である。
【発明を実施するための最良の形態】
【００１８】
以下、図面を参照しながら、本発明に係る電子ペン・システムの好適な実施形態について説明する。
【００１９】
［電子ペン・システムのシステム構成］
図１は、本実施形態における電子ペン・システム１０のシステム構成図である。図１に示すように、電子ペン・システム１０は、各受講者それぞれに配布される解答用紙（記入用紙）５Ａ，５Ｂ，…（５）と、解答用紙５に解答（筆跡）を記入し、記入した情報を外部へ Bluetooth（登録商標）等の無線通信方式で送信するための電子ペン１Ａ，１Ｂ，…（１）と、各電子ペン１から送信される記入情報を受信してディスプレイ（表示手段）に記入内容等を表示する集約装置（端末装置）２とを備える。
【００２０】
なお、図１では、集約装置２は、電子ペン１Ａ〜１Ｃから直接、記入情報を受信しているが、記入される解答用紙５が多いために記入情報が送信される電子ペン１の本数が多い場合や、受講者が解答する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２や転送装置３には、ラップトップパソコンなどを利用することができる。プロジェクタ４は、集約装置２から表示情報を受信して、集約装置２の画面をスクリーンへ投影表示する装置である。
【００２１】
また、本システム１０では、電子ペン１で解答用紙５に記入するにあたって、集約装置２に、電子ペン１で記入している記入者を認識させるための名簿用紙（記入者設定用紙）６と、集約装置２での記入した筆跡を表示する色及び線幅を特定するためのカラーパレット用紙７とが備えられている。
【００２２】
［解答用紙］
図２を参照して解答用紙（記入用紙）５について説明する。各解答用紙５には、その略全面に、それぞれ同じパターンのドットパターン（コード化パターン）が印刷され、その上に、ユーザエリア５０１が規定されている。さらに、各解答用紙５には、所属（クラス）や名前を記入する記入欄や問題、解答欄等が印刷されている。ドットパターンは、赤外線を吸収するカーボンを含んだインキにより印刷され、記入欄や問題内容等の線や文字は、赤外域に吸収性を持たないインキにより印刷される。
【００２３】
［名簿用紙］
図３を参照して名簿用紙（記入者設定用紙）６について説明する。名簿用紙６には、その略全面に、電子ペン１によって読取可能なドットパターン（コード化パターン）が印刷され、その上に、ユーザエリア６０１〜６０６が規定されている。ユーザエリア６０１〜６０６は、集約装置２において、電子ペン１により記入されて生成される記入情報に、ペンＩＤを介してユーザＩＤを関連付けるために用いられる。ここでは、解答者が、太郎、次郎、三郎、四郎、五郎の５名であるため、ユーザエリア６０１には「１  太郎」、ユーザエリア６０２には「２  次郎」、ユーザエリア６０３には「３  三郎」、ユーザエリア６０４には「４  四郎」、ユーザエリア６０５「５  五郎」と印刷されている。なお、ユーザエリア６０６には、予備として「６」と印刷されているが、名前は印刷されていない。名簿用紙６に印刷されたドットパターンは、解答用紙５とは異なるドットパターンを有し、そのドットパターンは、赤外線を吸収するカーボンを含んだインキにより印刷されている。また、各ユーザエリア６０１〜６０６の枠や名前は、赤外域に吸収性を持たないインキにより印刷される。解答者は、解答用紙５に解答を記入する際に、自分のユーザＩＤによって記入情報の記入者を集約装置２に認識させるために、自己の名前に対応するユーザエリアに、電子ペン１のペン先部１０３でタップ（軽叩）する。
【００２４】
［カラーパレット用紙］
図４を参照してカラーパレット用紙７について説明する。カラーパレット用紙７の略全面に、電子ペン１によって読取可能なドットパターン（コード化パターン）が印刷され、その上に、ユーザエリア７０１〜７０６が規定されている。ユーザエリア７０１〜７０６は、電子ペン１によるストローク情報（筆跡）を集約装置２の表示手段２６で表示する色及び線幅を選択するために用いられる。ユーザエリア７０１は、ストローク情報を集約装置２の表示手段２６に黒色で表示するためのユーザエリアであり、「くろ」と印刷されている。ユーザエリア７０２は、ストローク情報を集約装置２の表示手段２６に赤色で表示するためのユーザエリアであり、「あか」と印刷されている。ユーザエリア７０３は、ストローク情報を集約装置２の表示手段２６に青色で表示するためのユーザエリアであり、「あお」と印刷されている。
【００２５】
また、ユーザエリア７０４は、ストローク情報を集約装置２の表示手段２６に０．３ｍｍの線幅で表示するためのユーザエリアであり、「０．３ｍｍ」と印刷されている。ユーザエリア７０５は、ストローク情報を集約装置２の表示手段２６に０．５ｍｍの線幅で表示するためのユーザエリアであり、「０．５ｍｍ」と印刷されている。ユーザエリア７０６は、ストローク情報を集約装置２の表示手段２６に１．０ｍｍの線幅で表示するためのユーザエリアであり、「１．０ｍｍ」と印刷されている。カラーパレット用紙７に印刷されたドットパターンは、解答用紙５や名簿用紙６とは異なるドットパターンを有し、そのドットパターンは、赤外線を吸収するカーボンを含んだインキにより印刷されている。また、各ユーザエリア７０１〜７０６の枠や文字は、赤外域に吸収性を持たないインキにより印刷される。解答者等は、集約装置２の表示手段２６に表示させるストローク情報（筆跡）の色や線幅を設定する際に、電子ペン１のペン先部１０３で所望のユーザエリアにタップする。
【００２６】
次に、図５と図６を参照しながら、解答用紙５や名簿用紙６、カラーパレット用紙７に印刷されたアノト方式のドットパターン（コード化パターン）について説明する。図５は、用紙５〜７に印刷されたドットパターンのドットと、そのドットが変換される値との関係を説明する図である。図５に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、用紙上の位置座標が決定されるように構成されている。
【００２７】
図６は、あるドットパターンの配列を示している。図６（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは、位置座標と、ドットパターンアドレス（コード化パターンアドレス）を保持している。図６（ｂ）は、図６（ａ）に示す各ドットを、格子の基準位置からのシフト方向によって、図５に示す規則性に基づいて、対応づけられた値に変換したものである。この変換は、ドットパターンの画像を撮影する電子ペン１によって行われる。
【００２８】
［電子ペン］
次に、図７を参照しながら、電子ペン１について説明する。図７に示すように、電子ペン１は、その筐体１０１の内部に、ＣＰＵ等により構成されるプロセッサ１０８と、ＲＯＭやＲＡＭなどのメモリ１０９と、アンテナや送信回路等により構成される通信ユニット１１１と、バッテリー１１２と、ＬＥＤ１０５と、ＣＭＯＳカメラ１０６と、リアルタイムクロック１１０と、圧力センサ１０７と、インクカートリッジ１０４とを備えている。インクカートリッジ１０４の先端は、ペン先部１０３となっており、各受講者は、電子ペン１のペン先部１０３を、名簿用紙６やカラーパレット用紙７にタップしたり、解答用紙５に当接させながら、所属（クラス）や氏名、設問に対する解答を記入したりすることができる。
【００２９】
バッテリー１１２は、電子ペン１内の各部品に電力を供給するためのものである。例えば、磁石入りのキャップの脱着を磁気センサにより検知して（図示せず）、電子ペン１自体の電源のオン／オフを行う。リアルタイムクロック１１０は、現在時刻（タイムスタンプ）を示す時刻情報を発信し、プロセッサ１０８に供給する。圧力センサ１０７は、受講者が電子ペン１により解答用紙５上に文字などを書く際に、ペン先部１０３からインクカートリッジ１０４を通じて与えられる圧力、即ち筆圧を検出し、その値をプロセッサ１０８へ送る。
【００３０】
プロセッサ１０８は、圧力センサ１０７から与えられる筆圧データに基づいて、ＬＥＤ１０５とＣＭＯＳカメラ１０６のスイッチのオン／オフを切り替える。即ち、受講者が電子ペン１で名簿用紙６やカラーパレット用紙７にタップしたり、解答用紙５上に文字などを書いたりすると、そのとき、ペン先部１０３に筆圧がかかり、圧力センサ１０７によって所定値以上の筆圧が検出されたときに、プロセッサ１０８は、受講者が記入を開始したと判定して、ＬＥＤ１０５とＣＭＯＳカメラ１０６を作動させる。
【００３１】
ＬＥＤ１０５とＣＭＯＳカメラ１０６は、電子ペン１のペン先部１０３付近に取り付けられている。筐体１０１におけるＬＥＤ１０５とＣＭＯＳカメラ１０６と対向する部分には、開口部１０２が形成されている。ＬＥＤ１０５は、用紙上のペン先部１０３近傍に向けて赤外線を照射する。その領域は、ペン先部１０３が解答用紙５に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ＣＭＯＳカメラ１０６による撮影領域は、図６に示すような約２ｍｍ×約２ｍｍの大きさを含む範囲である。ＣＭＯＳカメラ１０６の撮影は、毎秒５０〜１００回程度行われる。
【００３２】
カーボンは赤外線を吸収するため、ＬＥＤ１０５によって照射された赤外線は、ドットに含まれるカーボンによって吸収される。そのため、ドットの部分は赤外線の反射量が少なく、ドット以外の部分は赤外線の反射量が多い。ＣＭＯＳカメラ１０６の撮影結果を閾値で判別することによって、カーボンを含むドットの領域とそれ以外の領域を、赤外線の反射量の違いで区別することができる。用紙５〜７の枠線や文字等を印刷したインキは赤外域に吸収性を持たないため、ドットパターンを容易に認識できる。
【００３３】
プロセッサ１０８は、受講者が記入している間、ＣＭＯＳカメラ１０６によって供給される画像データのドットパターンから、受講者が記入するストローク（筆跡）の用紙５〜７上におけるＸＹ座標（位置座標）を連続的に演算していく。すなわち、プロセッサ１０８は、ＣＭＯＳカメラ１０６によって供給されるドットパターンの画像データを図６（ｂ）に示すようなデータ配列に変換し、さらに、Ｘ座標ビット値とＹ座標ビット値に変換したうえで、そのデータ配列から所定の演算方法によりＸＹ座標データとドットパターンアドレスを演算する。そして、プロセッサ１０８は、リアルタイムクロック１１０から発信される現在時刻（タイムスタンプ：記入された時刻情報）と、筆圧データと、ドットパターンアドレスと、ＸＹ座標データと、ペンＩＤ（電子ペン識別情報）を関連付ける。なお、用紙５〜７における６×６のドットパターンは、その用紙内で重複することはないため、受講者が電子ペン１で解答内容を記入すると、記入された位置が用紙のどの位置にあたるかを、プロセッサ１０８による座標演算により特定することができる。
【００３４】
メモリ１０９には、電子ペン１を識別するためのペンＩＤが記憶されている。電子ペン１Ａ〜１Ｅには、それぞれのペンＩＤ「pen01 」〜「pen05 」が、それぞれのメモリ１０９に記憶されている（参照図１）。
【００３５】
通信ユニット１１１は、時刻情報（タイムスタンプ）と、筆圧データと、ドットパターンアドレスと、ＸＹ座標データと、ペンＩＤとが関連付けられた記入情報を、集約装置２へ直接、又は転送装置３を経由して送信する。通信ユニット１１１による送信は、Bluetooth(登録商標）の無線送信方式によって、集約装置２へ即時的かつ逐次的に行われる。
【００３６】
各電子ペン１は、受講者が用紙５〜７に記入する都度、記入情報を生成して、集約装置２へ送信する。例えば、受講者が電子ペン１のペン先部１０３を解答用紙５に接触（ペン・ダウン）させて記入すると、電子ペン１は、圧力センサ１０７で所定値以上の筆圧が検出されたことにより、解答用紙５への接触を検出する。そして、ＬＥＤ１０５によって赤外線を照射しつつ、ＣＭＯＳカメラ１０６によってペン先部１０３近傍のドットパターンを撮影する。撮影されたドットパターンの画像データから、解答用紙５への接触位置におけるＸＹ座標データとドットパターンアドレスを、プロセッサ１０８によって演算する。プロセッサ１０８は、リアルタイムクロック１１０によって発信された現在時刻を示す時間情報と、ドットパターンアドレスと、ＸＹ座標データと、筆圧データと、ペンＩＤとを関連付けた記入情報を生成し、その記入情報を集約装置２へ送信させる。
【００３７】
このように、電子ペン１は、受講者が解答用紙５に記入し続けている間、記入情報を生成し、集約装置２へ送信し続ける。そして、受講者が電子ペン１を解答用紙５から離す（ペン・アップ）と、電子ペン１は、圧力センサ１０７で所定値以上の筆圧が検出されなくなったことにより、受講者が記入を停止したと判定する。そして、ＬＥＤ１０５とＣＭＯＳカメラ１０６を停止して、集約装置２への記入情報の送信を中止する。
【００３８】
［転送装置］
図８を参照して転送装置３について説明する。図８に、転送装置３の機能ブロック図と集約装置２の機能ブロック図とを含む電子ペン・システム１０のシステム構成図を示す。
【００３９】
図８に示すように、転送装置３は、転送受信手段３１と転送送信手段３２とを備える。転送受信手段３１は、電子ペン１から Bluetooth（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００４０】
［集約装置］
続いて、集約装置２について説明する。図８に示すように、集約装置２は、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００４１】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００４２】
入力手段２１は、処理や表示の種別を含む処理態様を指示する手段であり、キーボードやマウスなどにより構成される。送信手段２７は、表示手段２６に表示される内容と同じ内容をプロジェクタ４に表示させるため、表示手段２６への表示信号を同期してプロジェクタ４へ送信する手段である。
【００４３】
記憶手段２５は、ＲＯＭやＲＡＭ、ハードディスクなどのメモリによって構成され、用紙５〜７における各ユーザエリアと位置座標とを関連付けて記憶する。すなわち、図９に示すように、記憶手段２５は、ユーザエリア５０１、６０１〜６０６、７０１〜７０６ごとに、エリア種別と位置座標の範囲とを関連付けたユーザエリア定義情報を記憶している。ユーザエリアの範囲は、「(xn, yn), Hn, Wn」というように、各用紙５〜７における座標(xn, yn)から高さ(Y) 方向Hn、横(X) 方向Wnの範囲で規定される。そして、例えば、ユーザエリア６０１は、その範囲が「(x1, y1), H1, W1」であって、その用紙種別は「名簿用紙」として記憶されている。
【００４４】
また、記憶手段２５は、名簿用紙６における各ユーザエリア６０１〜６０６とユーザＩＤ等とを関連付けて、名簿定義情報として記憶する。すなわち、図１０（ａ）に示すように、記憶手段２５は、ユーザエリア６０１〜６０６ごとに、ユーザＩＤとユーザ名と名簿No. とを関連付けて記憶している。例えば、ユーザエリア６０１は、名簿No. が「１」であって、そのユーザＩＤは「U01 」、ユーザ名は「太郎」として記憶されている。ここで、各ユーザエリア６０１〜６０６に関連付けられているユーザ名や名簿No. は、名簿用紙６の各ユーザエリア６０１〜６０６に印刷されている名前や番号と対応する。
【００４５】
さらに、記憶手段２５は、カラーパレット用紙７における各ユーザエリア７０１〜７０６と色又は線幅（線種）と線種ＩＤとを関連付けて、カラーパレット定義情報として記憶する。すなわち、図１０（ｂ）に示すように、記憶手段２５は、ユーザエリア７０１〜７０６ごとに、ストローク情報（筆跡）を集約装置２の表示手段２６で表示する色又は線幅（線種）と線種ＩＤとを記憶している。ここで、ユーザエリア７０１〜７０３には、ストローク情報を集約装置２の表示手段２６に表示する色として、それぞれ、「くろ」、「あか」、「あお」（線種）とその線種ＩＤ「L71 」、「L72 」、「L73 」が関連付けられ、ユーザエリア７０４〜７０６には、ストローク情報を集約装置２の表示手段２６に表示する線幅として、「０．３ｍｍ」、「０．７ｍｍ」、「１．０ｍｍ」（線種）とその線種ＩＤ「L74 」、「L75 」、「L76 」が関連付けられている。各ユーザエリア７０１〜７０６に関連付けられている線種は、カラーパレット７の各ユーザエリア７０１〜７０６に印刷されている文字や線の線種と対応するので、利用者が使いたい線種を選び易くなりカラーパレット７の使い勝手がよい。
【００４６】
また、記憶手段２５は、各電子ペン１によって送信されてきた記入情報に基づいて後述する集約処理手段２４が当該電子ペン１のペンＩＤに記入者ＩＤや線種ＩＤを関連付けると、そのペンＩＤと記入者ＩＤや線種ＩＤとの対応付け情報を、図１１に示すようなペン設定情報として記憶する。さらに、記憶手段２５は、各電子ペン１から受信された記入情報ごとに、集約処理手段２４が記入者ＩＤを対応付けると、その記入情報を、記入者ＩＤごとに識別して記憶する。なお、ペン設定情報は、初期状態としては記入者ＩＤ及び線種ＩＤは設定されておらず、電子ペン１の利用者が、名簿用紙６やカラーパレット用紙７の特定のユーザエリアを指定することによって、集約装置２に、電子ペン１のペンＩＤに関連付けて記入者ＩＤや線種ＩＤを記憶させる。そこで、線種ＩＤが対応付けられていない電子ペン１によるストローク情報は、例えば「くろ」色、「０．３ｍｍ」の線幅で表示手段２６に表示するようにデフォルト設定する。
【００４７】
記憶手段２５には、集約処理手段２４による描画アプリケーション（プログラム）の実行により、ファイル形式で学習データが保存される。図１２は、データのファイル形式の概略的な構造を示している。図１２に示すように、学習データは、ファイル属性情報と、記入者ＩＤ別の個人学習データとを有する。ファイル属性情報には、作成日時情報が含まれている。また、個人学習データには、記入者ＩＤと、電子ペン１から送信された記入情報の位置座標情報等を含むユーザストローク情報と、解答内容等に応じてカテゴライズのために利用者によって設定されるユーザ色（分類）情報やキーワード情報等が含まれている。ユーザストローク情報は、電子ペン１が演算した位置座標（ＸＹ座標）情報、記入された時の時刻情報、及び筆圧情報が含まれる。ファイルデータを読み込む際には、入力手段２１によって、記入者ＩＤ、ユーザ色情報、キーワード情報などを入力して、集約処理手段２４によって特定のデータを検索させ、ユーザストローク情報を表示手段２６に再現させることができる。
【００４８】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、記憶手段２５の図９に示すユーザエリア定義情報でユーザエリアと位置座標の範囲の関係を参照して、名簿用紙６上のユーザエリアに電子ペン１でタップされた記入情報であることを特定すると、図１０に示す名簿定義情報を参照して、そのユーザエリアに関連付けられたユーザＩＤを特定し、電子ペン１のペンＩＤに、特定したユーザＩＤを記入者ＩＤとして関連付けて、図１１に示すペン設定情報として記憶手段２５に記憶させる。
【００４９】
そして、それ以降に解答用紙５の記入情報を受信すると、記憶手段２５に記憶されたペン設定情報を参照して、その記入情報に含まれるペンＩＤに関連付けられた記入者ＩＤを特定して、解答用紙５についてのストローク情報に関連付けて、記憶手段２５における記入者ＩＤ別のユーザストローク情報格納領域に記憶させる。したがって、解答用紙５についての位置座標には、ペンＩＤを介して記入者ＩＤが集約装置２に設定されるため、同じ電子ペン１を複数の解答者が利用する場合（参照図１１（ｂ））であっても、異なる電子ペン１を同じ解答者が利用する場合（参照図１１（ｃ））であっても、電子ペン１を利用して記入した利用者と記入内容とを関連付けて記憶手段２５に記憶し、認識することができる。
【００５０】
なお、集約処理手段２４は、名簿用紙６についての記入情報の受信に先行して、解答用紙５についての位置座標等及びペンＩＤを含む記入情報を受信した場合、ペンＩＤに記入者ＩＤとしてそのペンＩＤを関連付けて記憶手段２５に記憶させるとともに、解答用紙５についてのストローク情報に、記入者ＩＤとしてそのペンＩＤを関連付けて記憶手段２５におけるユーザストローク情報格納領域に記憶させる。そして、後で、名簿用紙６の位置座標からユーザＩＤを特定してペンＩＤと関連付けした際、記憶手段２５の学習データファイルを参照して、先行して受信され、記入者ＩＤとして同じペンＩＤに関連付けられた解答用紙５についてのストローク情報を、特定したユーザＩＤを記入者ＩＤとして新しく関連付けて、記憶手段２５におけるユーザストローク情報格納領域に記憶させる。したがって、仮に、電子ペン１で名簿用紙６のユーザエリア６０１〜６０６にタップし忘れて、先に解答用紙５に記入を始めたとしても、後で、電子ペン１で名簿用紙６の特定のユーザエリアに記入すれば、集約装置２では、処理手段２４によって、名簿用紙６についての位置座標からユーザＩＤを特定し、解答用紙５についての位置座標に、特定したユーザＩＤを関連付けて遡及的に記憶手段２５に記憶させることができ、それ以降に解答用紙５に記入されたことにより集約装置２で取得する位置座標についても、同じ記入者ＩＤを関連付けて記憶手段２５に記憶させることができる。
【００５１】
また、集約処理手段２４は、解答用紙５についてのストローク情報を含む学習データに基づいて、表示手段２６に記入内容を表示させるとともに、記入者ＩＤとして関連付けられているユーザＩＤに対応するユーザ名を表示させる。表示手段２６に電子ペン１による記入内容と、ユーザＩＤに対応するユーザ名とが表示されるため、利用者は、記入者とその者による記入内容とを合わせて認識することができる。また、集約処理手段２４は、表示手段２６と同じ内容を同期させて、プロジェクタ４に表示させるため、表示手段２６に対する表示信号と同じ信号を送信手段２７に対してプロジェクタ４へ向けて送信させる。以下、集約処理手段２４の特定の機能について、詳細に説明する。
【００５２】
［記入者ＩＤ設定機能］
図１３を参照して、各電子ペン１によって送信される記入情報への記入者ＩＤの設定機能について説明する。
【００５３】
図１３に示すように、ある解答者が、用紙５〜７のいずれかに電子ペン１で記入すると、電子ペン1は、ペン先部１０３付近のドットパターンを読み取って演算した位置情報等によって構成されるストローク情報とペンＩＤを含む記入情報を、集約装置２へ送信する（ステップＳ１０１）。集約装置２では、受信手段２２，２３によって電子ペン１からの記入情報を受信して、集約処理手段２４に処理させる。まず、集約処理手段２４は、ストローク情報やペンＩＤを含む記入情報を記憶手段２５に記憶させる（ステップＳ２０１）。次に、集約処理手段２４は、記入情報に含まれる位置座標から用紙の種類を判定する（ステップＳ２０２）。
【００５４】
ここで、集約処理手段２４は、記憶手段２５のユーザエリア定義情報（参照図９）を参照して、ストローク情報に含まれる位置座標に基づいてユーザエリアと用紙種別を特定して、名簿用紙６にタップされたものと判断した場合（ステップＳ２０２：名簿用紙）、さらに、名簿定義情報（参照図１０（ａ））を参照して、ステップＳ２０２で特定したユーザエリアに対応するユーザＩＤを特定する（ステップＳ２０３）。続いて、集約処理手段２４は、記憶手段２５のペン設定情報（参照図１１（ａ））を参照して、記入情報に含まれる電子ペン１のペンＩＤに対応して、記入者ＩＤが設定されているか否か判定する（ステップＳ２０４）。
【００５５】
集約処理手段２４は、電子ペン１のペンＩＤに対応して、記入者ＩＤが設定されていないと判断した場合（ステップＳ２０４：Ｎｏ）、その記入者ＩＤとして、ステップＳ２０３において特定したユーザＩＤを設定して記憶手段２５に記憶させる（ステップＳ２０７）。さらに、集約処理手段２４は、ストローク情報に記入者ＩＤを対応付けて、図１２に示すような学習データの個人学習データファイルのユーザストローク情報として、記憶手段２５における記入者ＩＤ別の格納領域に記憶させる（ステップＳ２０８）。
【００５６】
一方、ステップＳ２０４において、集約処理手段２４は、電子ペン１のペンＩＤに対応して、記入者ＩＤが設定されていると判断した場合（ステップＳ２０４：Ｙｅｓ）、その記入者ＩＤとして、ペンＩＤが設定されているか否か判定する（ステップＳ２０５）。このとき、集約処理手段２４は、記入者ＩＤとしてペンＩＤは設定されていないと判断した場合（ステップＳ２０５：Ｎｏ）、記入者ＩＤとして設定されているＩＤが、ステップＳ２０３で特定したユーザＩＤであるか否か判定し（ステップＳ２０６）、ステップＳ２０３で特定したユーザＩＤと異なる場合（ステップＳ２０６：Ｙｅｓ）、電子ペン１のペンＩＤの記入者ＩＤを、ステップＳ２０３で特定したユーザＩＤに更新したうえ（ステップＳ２０７）（参照図１１（ｂ），ペンＩＤ＝pen01 ）、ストローク情報にステップＳ２０７で更新した記入者ＩＤを対応付けて、記憶手段２５における記入者ＩＤ別の個人学習データファイルのユーザストローク情報格納領域に記憶させる（ステップＳ２０８）。一方、ステップＳ２０３で特定したユーザＩＤと同じ場合（ステップＳ２０６：Ｎｏ）、集約処理手段２４は、ストローク情報にその記入者ＩＤを対応付けて、記憶手段２５における記入者ＩＤ別の個人学習データファイルのユーザストローク情報格納領域に記憶させる（ステップＳ２０８）。
【００５７】
一方、ステップＳ２０５において、集約処理手段２４は、記入者ＩＤとして、ペンＩＤが設定されていると判断した場合（ステップＳ２０５：Ｙｅｓ）、記憶手段２５に記憶された学習データファイルを参照して、そのペンＩＤを記入者ＩＤとして記憶されている個人学習データの記入者ＩＤを、ステップＳ２０３で特定したユーザＩＤに遡及的に変更して、記憶手段２５に記憶させるとともに（ステップＳ２０９）、記憶手段２５における電子ペン１に関するペン設定情報の記入者ＩＤを、ペンＩＤからステップＳ２０３で特定したユーザＩＤに変更して記憶させ（ステップＳ２１０）（参照図１１（ｂ），ペンＩＤ＝pen02 ）、さらに、ストローク情報に記入者ＩＤとして設定したユーザＩＤを対応付けて、記憶手段２５における記入者ＩＤ別の個人学習データファイルのユーザストローク情報格納領域に記憶させる（ステップＳ２０８）。
【００５８】
また、ステップＳ２０２において、集約処理手段２４は、ストローク情報に含まれる位置情報に基づいて特定したユーザエリアと用紙種別から解答用紙５に記入されているものと判断した場合（ステップＳ２０２：解答用紙）、記憶手段２５のペン設定情報を参照して、記入情報に含まれる電子ペン１のペンＩＤに関連して記入者ＩＤが設定されているか否か判定する（ステップＳ２１１）。そして、集約処理手段２４は、電子ペン１のペンＩＤについて記入者ＩＤが設定されていると判断した場合（ステップＳ２１１：Ｙｅｓ）、ストローク情報に、その記入者ＩＤを関連付けて、記憶手段２５における記入者ＩＤ別の個人学習データファイルのユーザストローク情報格納領域に記憶させる（ステップＳ２０８）。一方、電子ペン１のペンＩＤに関連して記入者ＩＤが設定されていないと判断した場合（ステップＳ２１１：Ｎｏ）、集約処理手段２４は、電子ペン１のペンＩＤを記入者ＩＤとして設定して記憶手段２５に記憶させて（ステップＳ２１２）、さらに、ストローク情報に記入者ＩＤであるペンＩＤを関連付けて、記憶手段２５における記入者ＩＤ別の個人学習データファイルのユーザストローク情報格納領域に記憶させる（ステップＳ２０８）。
【００５９】
また、ステップＳ２０２において、集約処理手段２４は、記憶手段２５のユーザエリア定義情報を参照して、ストローク情報に含まれる位置情報に基づいて特定したユーザエリアと用紙種別から用紙の種類はカラーパレット用紙７であると判断した場合（ステップＳ２０２：カラーパレット用紙）、さらに、カラーパレット定義情報（参照図１０（ｂ））を参照して、ステップＳ２０２で特定したユーザエリアに対応する線種ＩＤと線種（色又は線幅）を特定する（ステップＳ２１３）。続いて、集約処理手段２４は、電子ペン１のペンＩＤに対応付けて、ペン設定情報（参照図１１（ａ））として記憶手段２５に記憶させる（ステップＳ２１３）。
【００６０】
なお、ペンＩＤに線種ＩＤが対応付けられている場合、集約処理手段２４は、上記のストローク情報に記入者ＩＤを関連付ける際に、当該線種ＩＤも対応付けて、図１２に示すような学習データの個人学習データファイルのユーザストローク情報として、記憶手段２５における記入者ＩＤ別の格納領域に記憶させる。これにより、電子ペン１の利用者が、筆記（ストローク）の途中で異なる線種を設定した場合でも、ストローク情報ごとに線種ＩＤが対応付けられて記憶手段２５に記憶されるため、各ストローク情報を、利用者が筆記する時点で意図していた線種によって、集約装置２の表示手段２６に表示させることができる。
【００６１】
以下、次の（１）（２）（３）の場合について、図１３の処理フローにおける流れを説明する。また、（４）においてグループ化機能について説明する。
【００６２】
（１）  予め名簿用紙６によってユーザＩＤを指定して解答用紙５に記入する場合
図１３及び図１４を参照して、解答者「太郎」が、予め名簿用紙６のユーザエリアのうち、自分の名前が印刷されたユーザエリア６０１を、電子ペン１Ａでタップしたうえで、解答用紙５Ａに解答を記入する場合について説明する。
【００６３】
解答者「太郎」が、名簿用紙６のユーザエリア６０１を電子ペン１Ａでタップすると、電子ペン１Ａは、タップ時に演算したストローク情報（位置情報等）とペンＩＤ「pen01 」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０１）。続いて、集約処理手段２４は、記憶手段２５のユーザエリア定義情報（参照図９）を参照して、ストローク情報の位置座標に基づいてユーザエリア「６０１」と用紙種別「名簿用紙」を特定して、名簿用紙６内のストロークであると判断し（ステップＳ２０２：名簿用紙）、さらに、名簿定義情報（参照図１０（ａ））を参照して、ユーザエリア６０１に対応するユーザＩＤは「U01 」であることを特定する（ステップＳ２０３）。
【００６４】
このとき、記憶手段２５における電子ペン１Ａのペン設定情報に、記入者ＩＤはまだ設定されていないため（ステップＳ２０４：Ｎｏ）、集約処理手段２４は、電子ペン１Ａの記入者ＩＤを、特定したユーザＩＤ「U01」に設定して記憶手段２５に記憶させる（ステップＳ２０７）。さらに、集約処理手段２４は、ストローク情報に、記入者ＩＤとして設定した「U01 」を対応付けて、学習データの個人学習データファイルのユーザストローク情報として、記憶手段２５における記入者ＩＤ別の格納領域に記憶させる（参照図１２）（ステップＳ２０８）。
【００６５】
続いて、解答者「太郎」は、解答用紙５Ａに電子ペン１Ａで解答を記入する。すると、電子ペン１Ａは、解答用紙５Ａについてのストローク情報とペンＩＤ「pen01 」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０１）。そして、集約処理手段２４は、ストローク情報の位置座標から解答用紙５に記入されているものと判断し（ステップＳ２０２：解答用紙）、電子ペン１Ａのペン設定情報に記入者ＩＤが設定されているか否か確認する（ステップＳ２１１）。ここで、集約処理手段２４は、電子ペン１ＡにはユーザＩＤ「U01 」が記入者ＩＤとして設定されていると認識するため（ステップＳ２１１：Ｙｅｓ）、解答用紙５Ａについてのストローク情報に、記入者ＩＤ「U01 」を関連付けて、記憶手段２５における、記入者ＩＤ別の個人学習データファイルのユーザストローク情報格納領域に記憶させる（ステップＳ２０８）。
【００６６】
（２）  （１）に続いて、別の解答者が同じ電子ペンで名簿用紙６によってユーザＩＤを指定して解答用紙５に記入する場合
図１３及び図１５を参照して、（１）の例に続いて、解答者「三郎」が、名簿用紙６のユーザエリアのうち、自分の名前が印刷されたユーザエリア６０３を電子ペン１Ａでタップしたうえで、解答用紙５Ｃに解答を記入する場合について説明する。
【００６７】
解答者「三郎」が、名簿用紙６のユーザエリア６０３を電子ペン１Ａでタップすると、電子ペン１Ａは、タップ時に演算したストローク情報（位置情報等）とペンＩＤ「pen01 」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０１）。続いて、集約処理手段２４は、ストローク情報の位置座標に基づいて特定したユーザエリア「６０３」と用紙種別「名簿用紙」から、名簿用紙６へのタップと判断し（ステップＳ２０２：名簿用紙）、さらに、名簿定義情報を参照して、ユーザエリア６０３に対応するユーザＩＤは「U03 」であることを特定する（ステップＳ２０３）。
【００６８】
このとき、電子ペン１Ａの記入者ＩＤには、先行して電子ペン１Ａを使用していた「太郎」のユーザＩＤ「U01 」が設定されているため、集約処理手段２４は、記入者ＩＤが既に設定されていると認識し（ステップＳ２０４：Ｙｅｓ）、その記入者ＩＤは、ペンＩＤではないと判断する（ステップＳ２０５：Ｎｏ）。さらに、集約処理手段２４は、ステップＳ２０２で特定したユーザＩＤ「U03 」が、設定されている記入者ＩＤ「U01 」とは異なるため（ステップＳ２０６：Ｙｅｓ）、電子ペン１Ａのペン設定情報の記入者ＩＤを、特定したユーザＩＤ「U03 」に更新して記憶手段２５に記憶させる（ステップＳ２０７）。さらに、集約処理手段２４は、ストローク情報に、記入者ＩＤとして設定した「U03 」を対応付けて、記憶手段２５における記入者ＩＤ別の個人学習データファイルのユーザストローク情報格納領域に記憶させる（ステップＳ２０８）。
【００６９】
続いて、解答者「三郎」は、解答用紙５Ｃに電子ペン１Ａで解答を記入する。すると、電子ペン１Ａは、解答用紙５Ｃについてのストローク情報とペンＩＤ「pen01 」とを含む記入情報を集約装置２へ送信する（ステップＳ１０１）。集約装置２は、集約個別受信手段２２によって電子ペン１Ａからの記入情報を受信して、集約処理手段２４に処理させる。集約処理手段２４は、ストローク情報とペンＩＤとを含む記入情報を記憶手段２５に記憶させる（ステップＳ２０１）。そして、集約処理手段２４は、ストローク情報の位置情報から解答用紙５に記入されているものと判断し（ステップＳ２０２：解答用紙）、電子ペン１Ａに記入者ＩＤが設定されているか否か確認する（ステップＳ２１１）。ここで、集約処理手段２４は、電子ペン１ＡにはユーザＩＤ「U03 」が記入者ＩＤとして設定されていると認識するため（ステップＳ２１１：Ｙｅｓ）、解答用紙５Ｃについてのストローク情報に、記入者ＩＤ「U03」を関連付けて、記憶手段２５における記入者ＩＤ別の個人学習データファイルのユーザストローク情報格納領域に記憶させる（ステップＳ２０８）。
【００７０】
（３）  記入者ＩＤが設定されていない状態から、先行して解答用紙５に解答を記入してしまい、後で、名簿用紙６によってユーザＩＤを指定して、続けて解答用紙５に記入する場合
図１３及び図１６を参照して、解答者「次郎」が、集約装置２において記入者ＩＤが設定されていない状態から、先行して解答用紙５Ｂに解答を記入してしまい、後で、名簿用紙６のユーザエリアのうち、自分の名前が印刷されたユーザエリア６０２を電子ペン１Ｂでタップしたうえで、解答用紙５Ｂに解答を記入する場合について説明する。
【００７１】
解答者「次郎」が、解答用紙５Ｂに電子ペン１Ｂで解答を書き始めると、電子ペン１Ｂは、解答用紙５Ｂについてのストローク情報（位置情報）と電子ペン１ＢのペンＩＤ「pen02 」とを含む記入情報を集約装置２へ送信する（ステップＳ１０１）。集約装置２は、集約個別受信手段２２によって電子ペン１Ｂからの記入情報を受信して、集約処理手段２４に処理させる。集約処理手段２４は、ストローク情報とペンＩＤとを含む記入情報を記憶手段２５に記憶させる（ステップＳ２０１）。続いて、集約処理手段２４は、ストローク情報の位置情報から解答用紙５に記入されているものと判断する（ステップＳ２０２：解答用紙）。ここで、記憶手段２５には、電子ペン１Ｂのペン設定情報に記入者ＩＤが設定されていない状態であるため、集約処理手段２４は、記憶手段２５に電子ペン１Ｂの記入者ＩＤは設定されていないと認識し（ステップＳ２１１：Ｎｏ）、記入者ＩＤとして、暫時的に電子ペン１ＢのペンＩＤ「pen02 」を設定して記憶手段２５に記憶させる（ステップＳ２１２）。そして、集約処理手段２４は、解答用紙５Ｂについてのストローク情報に記入者ＩＤ「pen02 」を関連付けて記憶手段２５における記入者ＩＤ別の個人学習データファイルのユーザストローク情報格納領域に記憶させる（ステップＳ２０８）。
【００７２】
その後、解答者「次郎」は、名簿用紙６のユーザエリアのうち、自分の名前が印刷されたユーザエリア６０２を電子ペン１Ｂでタップする。すると、電子ペン１Ｂは、タップ時に演算したストローク情報（位置情報）とペンＩＤ「pen02 」とを含む記入情報を集約装置２へ送信する（ステップＳ１０１）。集約装置２は、集約個別受信手段２２によって電子ペン１Ｂからの記入情報を受信して、集約処理手段２４に処理させる。集約処理手段２４は、ストローク情報とペンＩＤとを含む記入情報を記憶手段２５に記憶させる（ステップＳ２０１）。続いて、集約処理手段２４は、ストローク情報の位置情報に基づいて特定したユーザエリア「６０２」と用紙種別から、名簿用紙６にタップされているものと判断し（ステップＳ２０２：名簿用紙）、さらに、そのユーザエリア６０２に対応するユーザＩＤは「U02 」であることを特定する（ステップＳ２０３）。
【００７３】
このとき、記憶手段２５では、電子ペン１Ｂの記入者ＩＤは、暫時的に「pen02 」に設定されている。そのため、集約処理手段２４は、記入者ＩＤは設定されていると認識するが（ステップＳ２０４：Ｙｅｓ）、設定されている記入者ＩＤはペンＩＤ（「pen02 」）であると認識する（ステップＳ２０５：Ｙｅｓ）。そのため、集約処理手段２４は、先行して取得され、記憶手段２５に記入者ＩＤ別に記憶されている個人学習データのうち、記入者ＩＤ「pen02 」として記憶されている個人学習データの記入者ＩＤ「pen02 」を遡及的に、特定したユーザＩＤ「U02 」に変更して記憶手段２５に格納させるとともに（ステップＳ２０９）、記憶手段２５における電子ペン１Ｂの記入者ＩＤを「pen02 」からユーザＩＤ「U02 」に変更して記憶させ（ステップＳ２１０）、さらに、ストローク情報に、記入者ＩＤとして設定した「U02 」を対応付けて、記憶手段２５における記入者ＩＤ別の個人学習データファイルの格納領域に記憶させる（ステップＳ２０８）。
【００７４】
続いて、解答者「次郎」は、解答用紙５Ｂに戻り、電子ペン１Ｂで再び解答を記入し始める。そうすると、電子ペン１Ｂは、解答用紙５Ｂについてのストローク情報とペンＩＤ「pen02 」とを含む記入情報を集約装置２へ送信する（ステップＳ１０１）。集約装置２は、集約個別受信手段２２によって電子ペン１Ｂからの記入情報を受信して、集約処理手段２４に処理させる。集約処理手段２４は、ストローク情報とペンＩＤとを含む記入情報を記憶手段２５に記憶させる（ステップＳ２０１）。そして、集約処理手段２４は、ストローク情報の位置情報から解答用紙５に記入されているものと特定し（ステップＳ２０２：解答用紙）、さらに、電子ペン１Ｂに記入者ＩＤ「U02 」が設定されていることを認識する（ステップＳ２１１：Ｙｅｓ）。そのため、集約処理手段２４は、解答用紙５Ｂについてのストローク情報に、記入者ＩＤ「U02 」を関連付けて、記憶手段２５における、記入者ＩＤ別の個人学習データファイルのユーザストローク情報格納領域に記憶させる（ステップＳ２０８）。
【００７５】
このように、集約処理手段２４の記入者ＩＤ設定機能によれば、予め名簿用紙６によってユーザＩＤを指定して解答用紙５に記入すれば、そのストローク情報についてユーザＩＤが関連付けられて記憶手段２５に記憶されるが、仮に、名簿用紙６によってユーザＩＤを指定する前の、電子ペン１に記入者ＩＤが設定されていない状態で、解答用紙５に解答を記入してしまった場合でも、その後で、名簿用紙６によってユーザＩＤを指定すれば、先行して解答用紙５に記入した内容のユーザストローク情報も遡及してそのユーザＩＤに関連付けされ、続けて解答用紙５に記入した内容のユーザストローク情報についても、そのユーザＩＤが関連付けされることとなる。
【００７６】
（４）  グループ化機能について
図１７を参照して、記入者ＩＤ設定機能のグループ化機能について説明する。図１７に示すように、解答者三名がそれぞれ固有のペンＩＤを有する異なる電子ペン１Ａ〜１Ｃで、予め名簿用紙６のユーザエリア６０２をタップしたうえで、解答用紙５に記入する場合、集約装置２では、集約処理手段２４によって、電子ペン１Ａ〜１Ｃについての記入者ＩＤとして、ユーザエリア６０２のユーザＩＤ「U02 」が設定されることとなる。この場合、電子ペン１Ａ〜１Ｃを用いている各解答者は、ユーザＩＤ「U02 」に対応するユーザ名「次郎」を班長とするグループに属しているといった具合に、集約装置２において、ユーザＩＤによってグループ化することができる。勿論、このグループ化機能を利用する場合には、名簿用紙６の各ユーザエリア６０１〜６０６に、名前の代わりにグループ名を印刷し、集約装置２の記憶手段２５で記憶されるユーザ名としても同様のグループ名を設定してもよい。また、電子ペン１Ａ〜１Ｃのいずれか或いは全てに、異なる線種を設定することもできる。例えば、「あお」の線種に設定した電子ペン１によって、グループで最終決定した解答をマークしたり記入したりすると、集約装置２の表示手段２６に同じグループの解答として描画されるユーザストロークのうち、グループで最終決定した解答を示すユーザストロークを、講師や解答者が容易に認識できる。
【００７７】
［描画アプリケーションによる画面表示］
次に、描画アプリケーションの実行による集約処理手段２４の表示手段２６への表示処理について図１８を参照しつつ説明する。
【００７８】
図１８に示すように、電子ペン１で解答用紙５に記入された際に生成された記入情報に基づいて、集約装置２で記憶手段２５に個別学習データとして記憶したユーザストローク情報は、集約処理手段２４によって、表示手段２６のユーザストローク情報表示領域５０に描画される。描画するユーザストローク情報が、拡大表示などでユーザストローク情報表示領域５０よりも大きい場合、集約処理手段２４は、横スクロールバー５１及び縦スクロールバー５２を有効とし、ユーザストローク情報全体を表示できるようにする。
【００７９】
また、集約処理手段２４は、画面上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６１、ページ送り機能６２，６３、回転表示ボタン６４，６６、ユーザコントロール表示ボタン６７などを表示し、入力手段２１のマウスによる機能ボタンの選択により、それぞれの処理を実行する。
【００８０】
選択ユーザ表示ボタン５３は、後述するユーザ選択リスト６９から選択した１つのユーザ名に対応するユーザストローク情報を表示するためのボタンである。比較一覧表示ボタン５４は、複数のユーザ名に対応するユーザストローク情報を同時に並べて一覧表示するためのボタンである。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００８１】
表示サイズ変更リスト５８は、現在、ユーザストローク情報表示領域５０に描画するユーザストローク情報の表示サイズを示すリストである。また、ユーザがマウスを用いてプルダウンメニューの中から表示サイズを任意に選択し、変更できる。縮小表示ボタン５９は、ユーザストローク情報表示領域５０に描画するユーザストローク情報の表示サイズを縮小する機能である。拡大表示ボタン６１は、ユーザストローク情報表示領域５０に描画するユーザストローク情報の表示サイズを拡大する機能である。ページ送り機能６２，６３は、異なるページアドレス（用紙ドットパターン）の解答用紙５を表示するためのボタンである。回転表示ボタン６４，６６は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６７は、ユーザコントロールリスト６８の表示・非表示を切り替える機能である。非表示にすることで、ユーザストローク情報表示領域５０を拡大できる。
【００８２】
図１９に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００８３】
ユーザ選択リスト６９は、ユーザストローク情報表示領域５０に表示するユーザストローク情報を、ユーザ名で選択するためのリストである。集約処理手段２４は、電子ペン１から取得して個別学習データとして記憶手段２５に記憶したユーザストローク情報ごとに関連付けられている記入者ＩＤ（ユーザＩＤ）に対応するユーザ名や、色分類ボタン７１〜７６によって選択されたユーザ色（分類）情報、キーワード等の各ユーザの情報を、ユーザ選択リスト６９に表示する。ユーザ選択リスト６９のユーザ名の欄には、集約処理手段２４により、記憶手段２５に記憶した個別学習データの記入者ＩＤに対応するユーザ名が表示される。すなわち、電子ペン１によって名簿用紙６のユーザエリアにタップされて記入者ＩＤとして設定されたユーザＩＤに対応するユーザ名、或いは、記入者ＩＤとしてペンＩＤが設定されている場合にはペンＩＤが表示されることとなる。
【００８４】
そして、操作者が入力手段２１のマウスによって、ユーザ選択リスト６９から所望のユーザを選択したうえで選択ユーザ表示ボタン５３をクリックすると、集約処理手段２４は、選択されたユーザのストローク情報を解答用紙５の画像とともに、ユーザストローク情報表示領域５０に表示させる。図１８では、ユーザ選択リスト６９のうちユーザ名「三郎」が選択され、ユーザストローク情報表示領域５０には、名簿用紙６のユーザエリア６０３にタップされた電子ペン１で記入された記入内容が、解答用紙５の画像とともに表示されている。また、ユーザ選択リスト６９のキーワードの欄に、入力手段２１のキーボードを用いて直接文字を入力することができ、集約処理手段２４は、入力された文字を個人学習データファイルのキーワード情報として記憶手段２５における記入者ＩＤ別の格納領域に記憶させる（参照図１２）。
【００８５】
色分類ボタン７１〜７６は、ユーザ選択リスト６９に表示されているユーザごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色に設定するためのボタンである。集約装置２の操作者は、入力手段２１のマウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名の色分類を表示する欄を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００８６】
名簿順ソートボタン７８は、ユーザ選択リスト６９に表示されているユーザ一覧を、図１０（ａ）に示す名簿定義情報の名簿No.の順に並べ替えるためのボタンである。色順ソートボタン７９は、ユーザ選択リスト６９に表示されているユーザ一覧を、色分類ボタン７１〜７６の操作によって付された色情報が同じユーザ同士を連続して配列されるように、ユーザ色情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００８７】
リロードボタン８２は、ユーザ選択リスト６９において選択されているユーザのユーザストローク情報を、学習データファイル保存時の状態まで戻すためのボタンである。この機能により、操作者である講師が、リロードボタン８２をマウスで選択すると、集約処理手段２４は、選択されているユーザに関連付けられている記入者ＩＤに基づいて、前回のファイル保存以降に電子ペン１より受信して記憶手段２５の記入者ＩＤ別の格納領域に記憶したユーザストローク情報をクリアして、前回ファイル保存した時点までのユーザストローク情報を読み出し、ユーザストローク情報表示領域５０に表示する。この機能により、個々のユーザが解答をやり直したい場合などに対応できる。
【００８８】
また、図２０に示すように、ファイルデータの保存やアプリケーションの設定などは、一般的なアプリケーションと同様に、機能メニューとして用意しておくと良い。図２０（Ａ）に示すように、ファイルメニュー８４のプルダウンメニューとして、ファイルデータの読み込み・保存を実行するメニュー８５，８６、画像形式で保存するメニュー８７，８８、アプリケーションの終了を実行するメニュー８９など、アプリケーションの全般的な管理に関する実行機能を一覧で用意しておくと便利である。
【００８９】
また、ファイルデータの保存に関するファイル形式を、ユーザ別のユーザストローク情報と設定情報を関連付けた構造としているので、ファイルデータを読み込む際、ユーザＩＤ（記入者ＩＤ）、ユーザ色情報、キーワード情報などから特定のデータを検索し、検索されたユーザストローク情報をユーザストローク情報表示領域５０に表示することができる。ここで、図１２のキーワード情報は、図１９に示すユーザ選択リスト６９のキーワードに対応している。
【００９０】
図２０（Ｂ）に示すように、表示メニュー９１のプルダウンメニューとして、ウィンドウ枠を隠しアプリケーションの表示領域を最大限拡大する全画面表示メニュー９２など、アプリケーションの表示に関する実行機能を一覧で用意しておくと便利である。また、図２０（Ｃ）に示すように、ツールメニュー９３のプルダウンメニューとして、電子ペン１の接続経由状況（例えば転送装置３のＩＰアドレスなど）を表示するペン管理メニュー９４、ユーザストローク情報を表示する背景となる解答用紙５の画像を設定する用紙管理メニュー９５、アプリケーションの情報を表示するメニュー９６など、アプリケーションの設定に関する実行機能を一覧で用意しておくと便利である。これらのボタンやメニューが選択されると、集約処理手段２４により各機能が実行される。
【００９１】
次に、図２１を参照して、解答用紙５が採点されている状態における集約装置２の表示手段２６における画面について説明する。図２１に示す例は、図１８と同様に、解答者「三郎」によって記入された解答内容が表示され、そのうえに、採点者により解答用紙５Ｃに電子ペン１によって記入され、その記入情報が反映された正答の○マーク９５が表示されている。なおこのとき、採点者は、電子ペン１で採点する際、カラーパレット用紙７によって採点表示用の色や線幅を選択し、名簿用紙６によって三郎のユーザエリア６０３を選択することで、集約装置２の集約処理手段２４により、採点者が使用する電子ペン１のペンＩＤに採点表示用に選択された色や線幅の線種ＩＤ及び三郎のユーザＩＤ「U03 」を関連付けてペン設定情報として記憶手段２５に記憶させたうえで、電子ペン１で解答用紙５Ｃに採点を行う。すると、採点者により解答用紙５Ｃに記入された内容のユーザストローク情報は、［記入者ＩＤ設定機能］（４）で説明したグループ化機能によって、三郎の個人学習データとして集約装置２の記憶手段２５における記入者ＩＤ別の格納領域に記憶され、描画アプリケーションの実行によって、解答者「三郎」によって記入された内容のユーザストローク情報とともに、表示手段２６のユーザストローク情報表示領域５０に描画される。
【００９２】
本電子ペン・システム１０によれば、電子ペン１を名簿用紙６のユーザエリアにタップすることにより、集約装置２に解答用紙５に解答しようとする者のユーザＩＤを電子ペン１のペン設定情報としてペンＩＤに関連付けて記憶することができる。また、名簿用紙６によるユーザＩＤの設定に先行して解答用紙５に記入し始めてしまったとしても、電子ペン１を名簿用紙６のユーザエリアにタップすることにより、遡及的にユーザＩＤを設定することができる。また、集約装置２でのユーザＩＤの設定により、集約装置２の表示手段２６に、電子ペン１によって記入された解答内容とともに、ユーザ名を表示させることができ、解答者と解答内容を一致させて解答内容を把握することができる。
【００９３】
また、本電子ペン・システム１０によれば、1本の電子ペン１を複数の解答者等で使う際にも、電子ペン１を名簿用紙６の対応するユーザエリアにタップして、集約装置２に解答用紙５に解答しようとする者のユーザＩＤを設定することにより、解答者を識別することができる。また、複数人から構成されるグループで、複数本の電子ペン１を持たせて本システム１０を利用する場合でも、同じグループの者が、それぞれが利用する電子ペン１を、名簿用紙６の同じユーザエリアにタップしてグループ化することにより、同じグループに属する電子ペン１からの記入情報を、集約装置２においてグループ化し、集約することができる。
【００９４】
また、電子ペン１が故障して別の電子ペン１を必要とする場合や、線種情報の異なる電子ペン１を同時に使用したい場合など、１人の利用者が複数本の電子ペン１を使用する場合でも、電子ペン１を名簿用紙６の対応するユーザエリアにタップして、集約装置２に同じユーザＩＤを設定することにより、記入情報を同じ利用者の情報として集約することができる。また、講師が、自分の使用する電子ペン１で、名簿用紙６のうち、採点しようとする受講生のユーザエリアにタップすることで、講師の電子ペン１の記入情報をその受講生のユーザＩＤに対応付けられるため、受講生の解答用紙５への追記として、受講者の解答に関する記入情報に集約することができる。
【００９５】
また、本電子ペン・システム１０によれば、講師が講義会場内を移動しなくとも、集約装置２の表示手段２６を観察することで、各受講生の解答の進捗状況を随時に確認でき、受講生の解答の間違いやつまずきを早期に発見することができる。また、集約装置２の表示手段２６に表示させている解答内容をプロジェクタ４により大画面スクリーンに映し出せば、その内容について講義会議内にいる講師や受講生に説明しやすく、受講生にとっても、他の受講生の解き方や考え方を多く知ることができ、問題解決に向けて多方面から思考する場面が増える。また、転送装置３を介してネットワーク回線を経由して電子ペン１と集約装置２とが通信を行うことにより、受講者が別の講義会場にいても情報伝達することができる。また、集約装置２の記憶手段２５に、受講生達の記入情報を蓄積して解析することで、各受講生による考え方の変容を把握することもでき、過去のデータを用いることで振り返り学習ができる。
【００９６】
なお、本発明は、上記実施形態に限られない。
【００９７】
上記実施形態において、名簿用紙６の各ユーザエリア６０１〜６０６には、予め受講生の名前が印刷され、集約装置２の記憶手段２５には、各ユーザエリア６０１〜６０６に関連付けられたユーザＩＤに対応するユーザ名が記憶されていたが（参照図１０）、その代わりに、名簿用紙６の各ユーザエリアには名前等は印刷せず、集約装置２の記憶手段２５にも、各ユーザＩＤに対応するユーザ名は未設定とし、電子ペン１で名簿用紙６の各ユーザエリアに名前等の文字を記入することで、電子ペン１から集約装置２に記入情報を送信し、集約装置２の集約処理手段２４によって記入情報の文字認識を行い、記入されたユーザエリアに関連付けられたユーザＩＤに対応するように、ユーザ名として、文字認識された文字を記憶する構成としてもよい。
【００９８】
また、上記実施形態において、解答用紙５、名簿用紙６、カラーパレット用紙７を、それぞれ異なるドットパターンが印刷された、独立した３種類の用紙としたが、その代わりに、例えば、解答用紙５にカラーパレット用紙７と同様の機能を有するカラーパレット領域を設けるといったように、特定の２種類或いは３種類全ての用紙の機能を、１つの用紙にまとめるように構成してもよい。
【００９９】
また、上記実施形態において、集約装置２は、ユーザエリアと用紙種別と位置座標の範囲とを関連付けたユーザエリア定義情報を参照して、電子ペン１から受信した記入情報に含まれる位置座標に基づいて、用紙種別を特定することとしたが、これに代えて、ドットパターンアドレスと用紙種別を関連付けた情報を記憶手段２５に記憶しておき、記入情報に含まれるドットパターンアドレスに基づいて、用紙種別を特定する構成としてもよい。
【産業上の利用可能性】
【０１００】
本発明は、上記実施形態のごとく、協調学習システムとして利用できるほか、企業研修システム、会議システム、リサーチシステム、クイズ番組システム等の各記入者の記入内容を集約するシステムに適用することができる。
【符号の説明】
【０１０１】
１…電子ペン、２…集約装置（端末装置）、３…転送装置、４…プロジェクタ、５，５Ａ〜５Ｅ…解答用紙（記入用紙）、６…名簿用紙（記入者設定用紙）、７…カラーパレット用紙、１０…電子ペン・システム、２２…集約個別受信手段、２３…集約転送受信手段、２４…集約処理手段（処理手段）、２５…記憶手段、２６…表示手段、２７…送信手段、１０３…ペン先部、１０８…プロセッサ。
【図１】
0005212852.tif 000002
【図２】
0005212852.tif 000003
【図３】
0005212852.tif 000004
【図４】
0005212852.tif 000005
【図５】
0005212852.tif 000006
【図６】
0005212852.tif 000007
【図７】
0005212852.tif 000008
【図８】
0005212852.tif 000009
【図９】
0005212852.tif 000010
【図１０】
0005212852.tif 000011
【図１１】
0005212852.tif 000012
【図１２】
0005212852.tif 000013
【図１３】
0005212852.tif 000014
【図１４】
0005212852.tif 000015
【図１５】
0005212852.tif 000016
【図１６】
0005212852.tif 000017
【図１７】
0005212852.tif 000018
【図１８】
0005212852.tif 000019
【図１９】
0005212852.tif 000020
【図２０】
0005212852.tif 000021
【図２１】
0005212852.tif 000022